(57)【要約】【課題】装置内部の熱を装置外部に十分に排出することができ、これによって撮像素子の温度上昇を抑制できること。【解決手段】本発明にかかるデジタルカメラ１は、被写体の画像を撮像する撮像素子８と、撮像素子８の配置空間と外部とを連通する通気孔６が形成された筐体２と、筐体２の内部に撮像素子８を固定する固定部材９と、撮像素子８の受光面に被写体の光学像を結像するレンズユニット５とを備える。レンズユニット５は、固定レンズ５ａと、固定レンズ５ａを保持するレンズ鏡枠５ｄと、可動レンズ５ｂと、可動レンズ５ｂを保持する可動レンズ鏡枠５ｃとを備える。可動レンズ５ｂは、レンズ鏡枠５ｄの内部において可動レンズ鏡枠５ｃとともに光軸方向に移動して撮像素子８の配置空間を加圧または減圧し、これによって、この配置空間と外部とを通気孔６を通して強制的に通気する。【選択図】        図２
2009100174.tif 000002
【特許請求の範囲】
【請求項１】
被写体の画像を撮像する撮像素子と、
前記撮像素子を内部に配置し、前記撮像素子の配置空間と外部とを連通する通気孔が形成された筐体と、
前記筐体の内部に前記撮像素子を固定する固定部材と、
外周側の部材に比して内周側の部材の熱伝導性が高い多重構造を有し、前記固定部材と接続して前記撮像素子を囲むとともに前記固定部材と共同して前記撮像素子の配置空間を形成する枠体と、
前記撮像素子の配置空間を加圧または減圧して、該配置空間と外部とを前記通気孔を通して通気する通気機構と、
を備えたことを特徴とする電子撮像装置。
【請求項２】
前記枠体は、前記撮像素子の受光面に被写体からの光を集光する１以上の固定レンズを保持するレンズ鏡枠であり、
前記通気機構は、
前記レンズ鏡枠の内部に配置され、光軸方向に移動する可動レンズ鏡枠と、
前記可動レンズ鏡枠に保持され、前記１以上の固定レンズと共同して前記撮像素子の受光面に被写体からの光を集光するとともに、前記可動レンズ鏡枠によって光軸方向に移動して前記撮像素子の配置空間を加圧または減圧する可動レンズと、
を備えたことを特徴とする請求項１に記載の電子撮像装置。
【請求項３】
前記通気機構は、
前記枠体に対応して前記筐体に着脱可能に取り付けられ、前記撮像素子の配置空間と当該レンズ鏡枠の内部とを連通する連通孔を有し、前記撮像素子の受光面に被写体からの光を集光する複数の固定レンズを保持するレンズ鏡枠と、
前記レンズ鏡枠の内部に配置され、光軸方向に移動する可動レンズ鏡枠と、
前記可動レンズ鏡枠に保持され、前記複数の固定レンズと共同して前記撮像素子の受光面に被写体からの光を集光するとともに、前記可動レンズ鏡枠によって光軸方向に移動して前記撮像素子の配置空間を前記連通孔を介して加圧または減圧する可動レンズと、
を備えたことを特徴とする請求項１に記載の電子撮像装置。
【請求項４】
前記枠体は、前記撮像素子の配置空間に面する壁面に凹凸形状を有することを特徴とする請求項１〜３のいずれか一つに記載の電子撮像装置。
【請求項５】
前記筐体の通気孔と前記撮像素子の配置空間とを連通する連通管を備えたことを特徴とする請求項１〜４のいずれか一つに記載の電子撮像装置。
【請求項６】
被写体の画像を撮像する撮像素子と、
前記撮像素子を内部に配置した筐体と、
前記筐体の内部に前記撮像素子を固定する固定部材と、
外周側の部材に比して内周側の部材の熱伝導性が高い多重構造を有し、該多重構造を貫通して当該レンズ鏡枠の内部空間と外部とを連通する通気孔が形成され、前記撮像素子の受光面に被写体からの光を集光する複数の固定レンズを保持するレンズ鏡枠と、
前記固定部材を介して少なくとも前記撮像素子の熱を吸収し、この吸収した熱を前記レンズ鏡枠の内部空間に伝導する熱伝導性部材と、
前記レンズ鏡枠の内部空間を加圧または減圧して、前記レンズ鏡枠の内部空間と外部とを前記通気孔を通して通気する通気機構と、
を備えたことを特徴とする電子撮像装置。
【請求項７】
前記通気機構は、
前記レンズ鏡枠の内部に配置され、光軸方向に移動する可動レンズ鏡枠と、
前記可動レンズ鏡枠に保持され、前記複数の固定レンズと共同して前記撮像素子の受光面に被写体からの光を集光するとともに、前記可動レンズ鏡枠によって光軸方向に移動して前記レンズ鏡枠の内部空間を加圧または減圧する可動レンズと、
を備えたことを特徴とする請求項６に記載の電子撮像装置。
【請求項８】
前記レンズ鏡枠は、前記筐体に着脱可能に取り付けられることを特徴とする請求項６または７に記載の電子撮像装置。
【請求項９】
前記レンズ鏡枠は、内周側壁面に凹凸形状を有することを特徴とする請求項６〜８のいずれか一つに記載の電子撮像装置。
【請求項１０】
前記熱伝導性部材は、前記固定部材と接続して前記撮像素子を囲むとともに前記固定部材と共同して前記撮像素子の配置空間を形成する枠体であることを特徴とする請求項６〜９のいずれか一つに記載の電子撮像装置。
【請求項１１】
前記熱伝導性部材は、前記撮像素子の配置空間に面する壁面に凹凸形状を有することを特徴とする請求項６〜１０のいずれか一つに記載の電子撮像装置。
【発明の詳細な説明】
【技術分野】
【０００１】
本発明は、撮像素子を内蔵した電子撮像装置に関し、特に、撮像素子の放熱性を高める放熱構造を有する電子撮像装置に関するものである。
【背景技術】
【０００２】
従来から、デジタルカメラおよびデジタルビデオカメラを始め、撮像機能を備えた携帯電話機など、各種態様の電子撮像装置が登場している。電子撮像装置は、一般に、ＣＣＤまたはＣＭＯＳ等の撮像素子を内蔵し、レンズ等の光学系によって撮像素子の受光面に被写体の光学像を結像し、この撮像素子の光電変換処理によって被写体の画像データを取得（撮像）する。また、電子撮像装置は、液晶ディスプレイ等の表示部を備え、かかる撮像素子によって撮像された被写体の画像を表示部に表示する。
【０００３】
なお、電子撮像装置内部の撮像素子は、設計仕様に規定された温度条件下において最適に駆動して、高画質な画像を撮像することができる。しかし、撮像素子の駆動時に発生する熱は撮像素子の温度上昇を引き起こし、この撮像素子の温度上昇に伴って暗電流等のノイズが発生する。この熱によるノイズは、撮像素子の画質低下を招来し、撮像素子による高画質撮像を困難にする。
【０００４】
かかる撮像素子の温度上昇によるノイズの悪影響を防止するために、近年、放熱作用によって撮像素子を冷却する技術を組み込んだ電子撮像装置が登場している。例えば、カメラ本体の上面に複数の放熱用通気孔を設け、これら複数の放熱用通気孔を空気の流入路および流出路にしてカメラ本体内部の熱を放出するデジタルカメラがある（特許文献１参照）。
【０００５】
【特許文献１】特開２００３−２４９７８２号公報
【発明の開示】
【発明が解決しようとする課題】
【０００６】
しかしながら、上述した特許文献１に記載されたデジタルカメラに例示される従来の電子撮像装置は、撮像素子等の内部部品が発熱した際に装置内部に発生する空気の自然な流れ（すなわち対流）を利用して放熱しているため、撮像素子等の熱を装置外部へ十分に排出することができない虞があり、これに起因して、撮像素子の温度上昇を抑制することが困難になるという問題点があった。
【０００７】
本発明は、上記事情に鑑みてなされたものであって、装置内部の熱を装置外部に十分に排出することができ、これによって撮像素子の温度上昇を抑制できる電子撮像装置を提供することを目的とする。
【課題を解決するための手段】
【０００８】
上述した課題を解決し、目的を達成するために、本発明にかかる電子撮像装置は、被写体の画像を撮像する撮像素子と、前記撮像素子を内部に配置し、前記撮像素子の配置空間と外部とを連通する通気孔が形成された筐体と、前記筐体の内部に前記撮像素子を固定する固定部材と、外周側の部材に比して内周側の部材の熱伝導性が高い多重構造を有し、前記固定部材と接続して前記撮像素子を囲むとともに前記固定部材と共同して前記撮像素子の配置空間を形成する枠体と、前記撮像素子の配置空間を加圧または減圧して、該配置空間と外部とを前記通気孔を通して通気する通気機構と、を備えたことを特徴とする。
【０００９】
また、本発明にかかる電子撮像装置は、上記の発明において、前記枠体は、前記撮像素子の受光面に被写体からの光を集光する１以上の固定レンズを保持するレンズ鏡枠であり、前記通気機構は、前記レンズ鏡枠の内部に配置され、光軸方向に移動する可動レンズ鏡枠と、前記可動レンズ鏡枠に保持され、前記１以上の固定レンズと共同して前記撮像素子の受光面に被写体からの光を集光するとともに、前記可動レンズ鏡枠によって光軸方向に移動して前記撮像素子の配置空間を加圧または減圧する可動レンズと、を備えたことを特徴とする。
【００１０】
また、本発明にかかる電子撮像装置は、上記の発明において、前記通気機構は、前記枠体に対応して前記筐体に着脱可能に取り付けられ、前記撮像素子の配置空間と当該レンズ鏡枠の内部とを連通する連通孔を有し、前記撮像素子の受光面に被写体からの光を集光する複数の固定レンズを保持するレンズ鏡枠と、前記レンズ鏡枠の内部に配置され、光軸方向に移動する可動レンズ鏡枠と、前記可動レンズ鏡枠に保持され、前記複数の固定レンズと共同して前記撮像素子の受光面に被写体からの光を集光するとともに、前記可動レンズ鏡枠によって光軸方向に移動して前記撮像素子の配置空間を前記連通孔を介して加圧または減圧する可動レンズと、を備えたことを特徴とする。
【００１１】
また、本発明にかかる電子撮像装置は、上記の発明において、前記枠体は、前記撮像素子の配置空間に面する壁面に凹凸形状を有することを特徴とする。
【００１２】
また、本発明にかかる電子撮像装置は、上記の発明において、前記筐体の通気孔と前記撮像素子の配置空間とを連通する連通管を備えたことを特徴とする。
【００１３】
また、本発明にかかる電子撮像装置は、被写体の画像を撮像する撮像素子と、前記撮像素子を内部に配置した筐体と、前記筐体の内部に前記撮像素子を固定する固定部材と、外周側の部材に比して内周側の部材の熱伝導性が高い多重構造を有し、該多重構造を貫通して当該レンズ鏡枠の内部空間と外部とを連通する通気孔が形成され、前記撮像素子の受光面に被写体からの光を集光する複数の固定レンズを保持するレンズ鏡枠と、前記固定部材を介して少なくとも前記撮像素子の熱を吸収し、この吸収した熱を前記レンズ鏡枠の内部空間に伝導する熱伝導性部材と、前記レンズ鏡枠の内部空間を加圧または減圧して、前記レンズ鏡枠の内部空間と外部とを前記通気孔を通して通気する通気機構と、を備えたことを特徴とする。
【００１４】
また、本発明にかかる電子撮像装置は、上記の発明において、前記通気機構は、前記レンズ鏡枠の内部に配置され、光軸方向に移動する可動レンズ鏡枠と、前記可動レンズ鏡枠に保持され、前記複数の固定レンズと共同して前記撮像素子の受光面に被写体からの光を集光するとともに、前記可動レンズ鏡枠によって光軸方向に移動して前記レンズ鏡枠の内部空間を加圧または減圧する可動レンズと、を備えたことを特徴とする。
【００１５】
また、本発明にかかる電子撮像装置は、上記の発明において、前記レンズ鏡枠は、前記筐体に着脱可能に取り付けられることを特徴とする。
【００１６】
また、本発明にかかる電子撮像装置は、上記の発明において、前記レンズ鏡枠は、内周側壁面に凹凸形状を有することを特徴とする。
【００１７】
また、本発明にかかる電子撮像装置は、上記の発明において、前記熱伝導性部材は、前記固定部材と接続して前記撮像素子を囲むとともに前記固定部材と共同して前記撮像素子の配置空間を形成する枠体であることを特徴とする。
【００１８】
また、本発明にかかる電子撮像装置は、上記の発明において、前記熱伝導性部材は、前記撮像素子の配置空間に面する壁面に凹凸形状を有することを特徴とする。
【発明の効果】
【００１９】
本発明にかかる電子撮像装置は、撮像素子を内部に配置する筐体に、この撮像素子の配置空間と筐体外部とを連通する通気孔を形成し、この筐体内部に撮像素子を固定する固定部材と撮像素子を囲む枠体とが共同して撮像素子の配置空間を形成し、この形成した撮像素子の配置空間内に撮像素子等の熱を放出するようにし、この撮像素子の配置空間を加圧または減圧し、これによって、この撮像素子の配置空間と筐体外部とを強制的に通気するように構成した。このため、撮像素子の配置空間内に吸引した外気に撮像素子等の熱を効率よく吸収させることができ、また、この撮像素子の配置空間内の気体とともに撮像素子等の熱を筐体外部に強制的に排出することができる。これによって、装置内部の熱を装置外部に十分に排出できるとともに撮像素子を冷却することができ、この結果、筐体内部の撮像素子の温度上昇を所定の範囲内に抑制できるという効果を奏する。
【発明を実施するための最良の形態】
【００２０】
以下、図面を参照して、本発明にかかる電子撮像装置の好適な実施の形態を詳細に説明する。なお、以下では、本発明にかかる電子撮像装置の一例としてデジタルカメラを例示するが、この実施の形態によって本発明が限定されるものではない。
【００２１】
（実施の形態１）
図１は、本発明の実施の形態１にかかる電子撮像装置の一構成例を示す模式図である。図２は、この実施の形態１にかかる電子撮像装置の内部構成を例示する断面模式図である。図３は、この実施の形態１にかかる電子撮像装置の一機能構成例を模式的に示すブロック図である。
【００２２】
図１〜３に示すように、この実施の形態１にかかる電子撮像装置であるデジタルカメラ１は、内外を連通する通気孔６が形成された筐体２と、被写体を照明する発光部３と、撮像操作を行うためのレリーズボタン４と、被写体からの光を集光する複数のレンズを有するレンズユニット５と、通気可能に通気孔６を覆うフィルタ７とを備える。また、デジタルカメラ１は、被写体の画像を撮像する撮像素子８と、筐体２の内部に撮像素子８を固定する固定部材９と、撮像素子８を配置した筐体２の内部空間１０と連通孔６とを連通する通気管１１と、撮像素子８によって撮像された被写体の画像を表示する表示部１２と、画像データを記憶する記憶部１３と、かかるデジタルカメラ１の各構成部を制御する制御部１４と、電池等の電源部１５とを備える。
【００２３】
筐体２は、デジタルカメラ１の外形をなすものであり、デジタルカメラ１の各構成部を内蔵する。具体的には、筐体２は、外部に発光可能な態様で発光部３を内蔵し、外部から押し下げ操作可能な態様でレリーズボタン４を内蔵し、被写体からの光を入射可能な態様でレンズユニット５を内蔵する。また、筐体２は、外部に表示画面を露出した態様で表示部１２を内蔵し、電池等を交換可能な態様で電源部１５を内蔵する。筐体２の内部には、撮像素子８、固定部材９、通気管１１、記憶部１３、および制御部１４が配置される。一方、筐体２には、この撮像素子８を配置した内部空間１０（すなわち撮像素子８の配置空間）と筐体２の外部とを連通する通気孔６が形成される。かかる筐体２の通気孔６は、通気性および非透水性を有するフィルタ７によって覆われる。
【００２４】
発光部３は、所望の被写体を照明するストロボ等の照明手段であり、撮像素子８によって撮像される被写体に対して照明光（例えば閃光）を発光して、この被写体を照明する。レリーズボタン４は、撮像素子８によって被写体の画像を撮像する際に押し下げられる。この場合、レリーズボタン４は、制御部１４に対して撮像開始を指示する指示情報を入力する。
【００２５】
レンズユニット５は、その光軸が撮像素子８の受光面の中心部を通過する態様に配置され、この撮像素子８の受光面に被写体からの光を集光して被写体の光学像を結像する。具体的には、レンズユニット５は、撮像素子８の受光面に被写体からの光を集光する固定レンズ５ａおよび可動レンズ５ｂと、可動レンズ５ｂを保持しつつ移動可能な可動レンズ鏡枠５ｃと、固定レンズ５ａを保持するレンズ鏡枠５ｄと、可動レンズ鏡枠５ｃを駆動するレンズ駆動部５ｇとを備える。なお、このレンズユニット５の光軸は、かかる固定レンズ５ａおよび可動レンズ５ｂの光軸である。
【００２６】
レンズ鏡枠５ｄは、外周側の部材に比して内周側の部材の熱伝導性が高い多重構造を有する略円筒形状の枠体である。具体的には、レンズ鏡枠５ｄは、略円筒形状をなす外周側の低熱伝導性部材５ｆと、略円筒形状をなす内周側の高熱伝導性部材５ｅとを層状に重ねて形成される。かかるレンズ鏡枠５ｄの多重構造の外周側をなす低熱伝導性部材５ｆは、断熱材等の熱伝導率が比較的小さい部材によって形成される。一方、かかるレンズ鏡枠５ｄの多重構造の内周側をなす高熱伝導性部材５ｅは、アルミニウムまたは銅等の熱伝導率が比較的大きい部材によって形成され、この低熱伝導性部材５ｆに比して高い熱伝導性を有する。かかるレンズ鏡枠５ｄは、一端（筐体２の外部側の端部）の内部に固定レンズ５ａを保持、固定し、他端（筐体２の内部側の端部）を固定部材９に接続して固定部材９上の撮像素子８を囲むとともに、この固定部材９と共同して撮像素子８の配置空間、すなわち筐体２の内部空間１０を形成する。この場合、内部空間１０は、レンズ鏡枠５ｄの内周側壁面と固定部材９の壁面と固定レンズ５ａとによって囲まれた空間である。
【００２７】
可動レンズ５ｂおよび可動レンズ鏡枠５ｃは、かかるレンズ鏡枠５ｄの内部に配置される。可動レンズ鏡枠５ｃは、可動レンズ５ｂを保持し、レンズ駆動部５ｇの作用によってレンズユニット５の光軸方向に移動する。可動レンズ５ｂは、この可動レンズ鏡枠５ｃに保持された状態で固定レンズ５ａと光軸を一致させ、この固定レンズ５ａと共同して被写体からの光を撮像素子８の受光面に集光する。また、可動レンズ５ｂは、可動レンズ鏡枠５ｃの作用によって光軸方向に移動して、焦点距離またはズーム倍率を調整する。レンズ駆動部５ｇは、アクチュエータ等を用いて実現され、制御部１４の制御に基づいて駆動する。かかるレンズ駆動部５ｇは、可動レンズ５ｂを保持した状態の可動レンズ鏡枠５ｃを光軸方向に移動する。
【００２８】
ここで、かかる可動レンズ５ｂは、デジタルカメラ１のフォーカシングまたはズーミングの際に光軸方向に移動することによって、撮像素子８の配置空間である内部空間１０を加圧または減圧し、この結果、この内部空間１０とデジタルカメラ１の外部とを通気孔６を通して通気する。すなわち、この内部空間１０の空気等の気体は、かかる可動レンズ５ｂの移動によって加圧された場合、固定部材９の通気管路９ａ内および通気管１１内を順次流通して通気孔６から筐体２の外部に放出される。一方、かかる可動レンズ５ｂの移動によって内部空間１０が減圧された場合、デジタルカメラ１の外部の気体は、通気孔６から筐体２の内部に流入し、通気管１１内および通気管路９ａ内を順次流通してこの内部空間１０に流入する。このように内部空間１０に作用する可動レンズ５ｂ、可動レンズ鏡枠５ｃ、およびレンズ駆動部５ｇを含む移動機構は、内部空間１０を加圧または減圧して内部空間１０と筐体２の外部とを強制的に通気する通気機構として機能する。
【００２９】
なお、この内部空間１０の気体は、撮像素子８および制御部１４等の電子部品の放熱、かかる電子部品を搭載した固定部材９の放熱、およびレンズ鏡枠５ｄの高熱伝導性部材５ｅの放熱によって熱せられ、かかるデジタルカメラ１の通気機構の作用によって換気される。これによって、内部空間１０内の熱、すなわち撮像素子８または制御部１４等の熱源から発生した熱は筐体２の外部に放出され、この結果、撮像素子８等の電子部品が冷却される。
【００３０】
通気孔６は、筐体２（例えば筐体２の正面側の外壁部）に形成され、撮像素子８の配置空間である内部空間１０と筐体２の外部とを連通する。上述した可動レンズ５ｂ等の作用による内部空間１０と筐体２の外部との通気は、この通気孔６を通して行われる。かかる通気孔６には、フィルタ７が設けられる。フィルタ７は、デジタルカメラ１の防塵性能および防滴性能を高めるためのものであり、通気性および非透水性を有するフィルム状または繊維状の微多孔性部材（通気非透水性部材）を用いて実現される。フィルタ７は、通気孔６を覆い、この通気孔６を通して内部空間１０と筐体２の外部との通気が行われる際に、液体または塵等の外部からの異物が筐体２の内部（特に内部空間１０）に入り込むことを防止する。
【００３１】
撮像素子８は、ＣＣＤまたはＣＭＯＳ等のイメージセンサであり、筐体２の内部空間１０内に配置される。具体的には、撮像素子８は、固定部材９に固定された状態（詳細には、固定部材９の一部である回路基板上に実装された状態）で内部空間１０内に固定配置され、レンズ鏡枠５ｄによって囲まれる。撮像素子８は、レンズユニット５によって集光された被写体からの光を受光面を介して受光し、この受光した被写体からの光を光電変換処理して画像信号を生成する。かかる撮像素子８が生成した画像信号は、レンズユニット５によって撮像素子８の受光面に結像された被写体の光学像に対応する。このようにして、撮像素子８は、被写体の画像を撮像する。撮像素子８は、この生成した画像信号を制御部１４に送信する。
【００３２】
固定部材９は、筐体２の内部空間１０に撮像素子８を固定配置する部材である。具体的には、固定部材９は、デジタルカメラ１の各種動作を実現するために必要な回路が形成された回路基板と、この回路基板または電子部品の放熱を促進するヒートシンクとによって構成される。この固定部材９の回路基板は、撮像素子８および制御部１４等の電子部品が実装された態様で筐体２の内部に固定される。また、この固定部材９の回路基板は、デジタルカメラ１の各構成部（具体的には、発光部３、レリーズボタン４、レンズ駆動部５ｇ、撮像素子８、表示部１２、記憶部１３、および電源部１５）と制御部１４とを電気的に接続する。一方、この固定部材９のヒートシンクは、この回路基板または回路基板上の電子部品（撮像素子８、制御部１４等）によって発生した熱を内部空間１０に放出する。
【００３３】
また、固定部材９は、上述したように、レンズ鏡枠５ｄと共同して撮像素子８の配置空間（すなわち筐体２の内部空間１０）を形成する。かかる固定部材９には、通気管１１を介して通気孔６と内部空間１０とを連通する通気管路９ａが形成される。なお、かかる固定部材９に発生した熱（例えば撮像素子８または制御部１４等の電子部品の駆動による熱）は、上述したヒートシンク等によって内部空間１０に放出されるとともに、レンズ鏡枠５ｄを介して内部空間１０に放出される。この場合、かかる固定部材９の熱は、固定部材９に接続されたレンズ鏡枠５ｄに伝導し、外周側の低熱伝導性部材５ｆに比して熱伝導性が高い内周側の高熱伝導性部材５ｅから内部空間１０に放出される。
【００３４】
通気管１１は、通気孔６と筐体２の内部空間１０とを連通する連通管であり、一端が通気孔６に接続され、且つ他端が内部空間１０に通じる通気管路９ａに接続される。かかる通気管１１は、この内部空間１０の気体（熱せられた気体）を筐体２の外部へ流通し、通気孔６から流入した外気を内部空間１０へ流通する。
【００３５】
表示部１２は、液晶ディスプレイ等を用いて実現され、デジタルカメラ１の背面側から外部に表示画面を向ける態様で筐体２に内蔵される。かかる表示部１２は、撮像素子８によって撮像された被写体の画像を表示する。記憶部１３は、撮像素子８によって撮像された被写体の画像データを記憶する。なお、かかる記憶部１３は、筐体２の内部に配置される不揮発性の半導体メモリ（例えばフラッシュメモリ等）またはハードディスク等の記憶メディアであってもよいし、筐体２の内部に着脱可能に挿着される可搬型の記憶メディアであってもよい。
【００３６】
制御部１４は、処理プログラムを実行するＣＰＵと、処理プログラム等を予め記憶したＲＯＭと、各処理の演算パラメータ等を一時記憶するＲＡＭとを用いて実現され、上述した固定部材９の一部である回路基板に実装される。制御部１４は、デジタルカメラ１の各構成部の動作を制御し、且つ各構成部間における信号の入出力を制御する。具体的には、制御部１４は、電源部１５によって電力が供給された際に起動して、デジタルカメラ１の各構成部を制御可能な状態とする。例えば、制御部１４は、撮像素子８および表示部１２を制御して、撮像素子８が撮像した被写体の画像を表示部１２に表示させる。また、制御部１４は、レリーズボタン４からの入力情報をもとにレンズ駆動部５ｇを制御して可動レンズ鏡枠５ｃとともに可動レンズ５ｂを光軸方向に移動させて、レンズユニット５の焦点距離を調整するフォーカシング動作またはズーム倍率を調整するズーミング動作を制御する。制御部１４は、レリーズボタン４が押し下げられたタイミングにおいて撮像素子８に被写体の画像を撮像させる。この場合、制御部１４は、必要に応じて発光部３に照明光を発光させて、この照明光によって照明された被写体の画像を撮像素子８に撮像させる。
【００３７】
また、制御部１４は、画像処理部１４ａを有する。画像処理部１４ａは、撮像素子８によって生成された画像信号を取得し、この取得した画像信号に対して所定の画像処理を行って、被写体の画像データを生成する。制御部１４は、かかる画像処理部１４ａによって生成された被写体の画像データを記憶部１３に記憶させるとともに、この被写体の画像データに基づく画像を表示部１２に表示させる。
【００３８】
電源部１５は、筐体２の内部に交換可能に挿着される一次電池または二次電池であり、筐体２に設けられた電源スイッチ（図示せず）のオンオフの切替に対応してオン状態とオフ状態とを切り替える。かかる電源部１５は、オン状態である場合、デジタルカメラ１の各構成部（例えば、発光部３、レンズ駆動部５ｇ、撮像素子８、表示部１２、記憶部１３、および制御部１４等）に電力を供給し、オフ状態である場合、かかるデジタルカメラ１の各構成部への電力供給を停止する。
【００３９】
つぎに、この実施の形態１にかかるデジタルカメラ１の排気による撮像素子８の冷却性能について説明する。図４は、実施の形態１にかかる電子撮像装置の排気による撮像素子の冷却性能を説明するための模式図である。デジタルカメラ１の通気機構は、筐体２の内部空間１０の気体を通気孔６から筐体２の外部に排気することによって、この内部空間１０の熱を筐体２の外部に排出する。
【００４０】
具体的には、撮像素子８および制御部１４は、被写体の画像を撮像する際に電力を消費して駆動し、これに伴って発熱する。また、撮像素子８および制御部１４を実装した回路基板等の固定部材９は、かかる撮像素子８および制御部１４の駆動とともに発熱する。かかる撮像素子８、制御部１４、および固定部材９の熱は、各表面から内部空間１０に放出されるとともに、図４の実線矢印に示されるようにレンズ鏡枠５ｄに伝導する。ここで、レンズ鏡枠５ｄは、上述したように、外周側の低熱伝導性部材５ｆと、この低熱伝導性部材５ｆに比して熱伝導性が高い内周側の高熱伝導性部材５ｅとによって形成される。かかる多重構造のレンズ鏡枠５ｄは、固定部材９から吸収した熱の略全てを内周側の高熱伝導性部材５ｅを介して内部空間１０に放出する。この場合、高熱伝導性部材５ｅは、固定部材９および外周側の低熱伝導性部材５ｆから熱を吸収し、この吸収した熱を内部空間１０に放出する。このようにして、かかる撮像素子８、制御部１４、および固定部材９の熱は、撮像素子８の配置空間である内部空間１０に放出される。
【００４１】
なお、外周側の低熱伝導性部材５ｆは、固定部材９からの吸熱量が小さく且つ内周側の高熱伝導性部材５ｅによって吸熱されるため、固定部材９からの熱によって高温状態になることを抑制され、低温状態に維持される。かかるレンズ鏡枠５ｄは、筐体２に固定部材９または内部空間１０の熱を伝導することを抑制でき、この結果、筐体２は、低温状態に維持される。
【００４２】
ここで、デジタルカメラ１の通気機構の一部である可動レンズ５ｂは、図４に示すように、フォーカシング動作またはズーミング動作の際に可動レンズ鏡枠５ｃとともに光軸方向（ここでは固定部材９に近付く方向）に移動することによって、内部空間１０を加圧する。この内部空間１０の空気等の気体は、上述したように高熱伝導性部材５ｅ側および固定部材９側から熱を吸収し、かかる可動レンズ５ｂの加圧作用によって圧縮される。このように圧縮された内部空間１０の気体は、内部空間１０から通気管路９ａを通って通気管１１内に排出され、その後、この通気管１１内を流通し、フィルタ７を通って通気孔６から筐体２の外部に強制的に排出される。この場合、撮像素子８および制御部１４の熱は、かかる内部空間１０から筐体２の外部への排気によって、内部空間１０の気体とともに筐体２の外部に十分に排出される。このような排気による放熱作用によって、内部空間１０内の撮像素子８、固定部材９、および制御部１４は冷却され、この結果、撮像素子８の温度上昇は、設計仕様に規定された範囲内に抑制される。
【００４３】
つぎに、この実施の形態１にかかるデジタルカメラ１の吸気による撮像素子８の冷却性能について説明する。図５は、実施の形態１にかかる電子撮像装置の吸気による撮像素子の冷却性能を説明するための模式図である。デジタルカメラ１の通気機構は、フィルタ７を通して通気孔６から外気を筐体２の内部空間１０に吸引し、この吸引した気体に熱を吸収させることによって、この内部空間１０内の撮像素子８等を冷却する。
【００４４】
具体的には図５に示すように、デジタルカメラ１の通気機構の一部である可動レンズ５ｂは、フォーカシング動作またはズーミング動作の際に可動レンズ鏡枠５ｃとともに光軸方向（ここでは固定部材９から離間する方向）に移動することによって、内部空間１０を減圧する。このように内部空間１０が減圧された場合、外気は、フィルタ７を通って通気孔６から通気管１１内に入り込み、その後、この通気管１１内を流通して通気管路９ａから内部空間１０に入り込む。かかる可動レンズ５ｂは、このようにして内部空間１０に外気を吸引する。
【００４５】
一方、撮像素子８、制御部１４、および固定部材９の回路基板は、上述したように、駆動に伴って発熱する。かかる撮像素子８、制御部１４、および固定部材９の熱は、各表面から内部空間１０に放出されるとともに、上述したようにレンズ鏡枠５ｄを介して内部空間１０に放出される。ここで、上述した可動レンズ５ｂの移動は、内部空間１０を減圧することによって筐体２の外部から内部空間１０内に空気等の気体を吸引するとともに、この吸引した気体に、高熱伝導性部材５ｅ側の熱（高熱伝導性部材５ｅが低熱伝導性部材５ｆおよび固定部材９から吸収した熱）と固定部材９側の熱（撮像素子８および制御部１４の駆動に伴って発生した熱）とを吸収させる吸熱作用を促進する。かかる可動レンズ５ｂの減圧作用によって内部空間１０内に吸引された空気等の気体は、通常、駆動時の撮像素子８および制御部１４に比して温度が低く、高熱伝導性部材５ｅ側および固定部材９側から熱を効率よく吸収する。この場合、撮像素子８および制御部１４の熱は、かかる内部空間１０への吸気によって内部空間１０に十分に放出される。このような吸気による吸熱作用によって、内部空間１０内の撮像素子８、固定部材９、および制御部１４は冷却され、この結果、撮像素子８の温度上昇は、設計仕様に規定された範囲内に抑制される。
【００４６】
なお、かかる撮像素子８および制御部１４の熱を吸収した内部空間１０の気体は、上述した可動レンズ５ｂの移動による加圧作用によって圧縮され、その後、通気管路９ａ内および通気管１１内を順次流通し、フィルタ７を通って通気孔６から筐体２の外部に強制的に排出される。これによって、撮像素子８および制御部１４の熱は、この内部空間１０の気体とともに筐体２の外部に排出される。すなわち、上述した通気機構を有するデジタルカメラ１は、筐体２の外部と内部空間１０との間で強制的に通気（排気および吸気）を繰り返し、この結果、撮像素子８および制御部１４の熱を外部に放出して撮像素子８等を冷却するとともに、撮像素子８の温度上昇を抑制する。
【００４７】
以上、説明したように、本発明の実施の形態１では、撮像素子を内部に配置する筐体に、この撮像素子の配置空間と筐体外部とを連通する通気孔を形成し、この筐体内部に撮像素子を固定する固定部材と撮像素子を囲むレンズ鏡枠とが共同して撮像素子の配置空間を形成し、この形成した撮像素子の配置空間内に撮像素子等の熱を放出するようにし、このレンズ鏡枠内の可動レンズを光軸方向に移動させて、この撮像素子の配置空間を加圧または減圧し、これによって、この撮像素子の配置空間と筐体外部とを強制的に通気するように構成した。このため、撮像素子の配置空間内に吸引した外気に撮像素子等の熱を効率よく吸収させることができ、また、この撮像素子の配置空間内の気体とともに撮像素子等の熱を筐体外部に強制的に排出することができる。これによって、装置内部の熱を装置外部に十分に排出できるとともに撮像素子を冷却することができ、この結果、筐体内部の撮像素子の温度上昇を所定の範囲内に抑制できる電子撮像装置を実現することができる。
【００４８】
また、比較的熱を伝導し難い外周側の低熱伝導性部材と、この低熱伝導性部材に比して熱伝導性が高い内周側の高熱伝導性部材とによって多重構造のレンズ鏡枠を形成し、この多重構造のレンズ鏡枠を撮像素子の固定部材に接続して、この多重構造のレンズ鏡枠によって撮像素子を囲むようにした。このため、この固定部材を介してレンズ鏡枠が吸収した撮像素子等の熱を撮像素子の配置空間内に効率よく放出できるとともに、このレンズ鏡枠の外周側の温度上昇を抑制できる。これによって、撮像素子等の熱による筐体の温度上昇を抑制することができ、この結果、ユーザが電子撮像装置を把持した際に筐体の高温化によって生じる不快感を軽減することができる。
【００４９】
さらに、筐体の正面側（被写体側）に通気孔を形成し、この通気孔と撮像素子の配置空間とを通気管によって連通するようにしたので、撮像素子の配置空間と筐体外部との通気を効率よく行うことができるとともに、筐体の正面側に気体および熱を排出することができる。この結果、撮像素子等の熱によって熱せられた筐体内部の熱気がユーザに吹き付けられる事態を防止することができる。
【００５０】
（実施の形態２）
つぎに、本発明の実施の形態２について説明する。上述した実施の形態１では、撮像素子８を囲む枠体であるレンズ鏡枠５ｄ内において可動レンズ５ｂを光軸方向に移動させ、これによって、撮像素子８の配置空間である内部空間１０を加圧または減圧して内部空間１０と筐体２の外部とを通気していたが、この実施の形態２では、筐体に着脱可能に取り付けられるレンズユニットに、このレンズユニットの内部空間と撮像素子の配置空間とを連通する連通孔を形成し、このレンズユニットの可動レンズを光軸方向に移動させてレンズユニットの内部空間を加圧または減圧し、これによって、間接的に撮像素子の配置空間を加圧または減圧して撮像素子の配置空間と筐体外部とを通気するようにしている。
【００５１】
図６は、本発明の実施の形態２にかかる電子撮像装置の一構成例を示す模式図である。図７は、この実施の形態２にかかる電子撮像装置の内部構成を例示する断面模式図である。図８は、この実施の形態２にかかる電子撮像装置の一機能構成例を模式的に示すブロック図である。
【００５２】
図６〜８に示すように、この実施の形態２にかかる電子撮像装置であるデジタルカメラ２１は、一眼レフタイプのデジタルカメラであり、カメラ本体２２とレンズユニット２３とを備える。カメラ本体２２は、上述した実施の形態１にかかるデジタルカメラ１の筐体２に代えて筐体２４を備え、発光部３に代えてポップアップタイプの発光部２５を備え、レンズユニット５に代えて矩形管状の枠体２７を備え、制御部１４に代えて制御部２９を備える。この枠体２７は、上述したレンズ鏡枠５ｄの代わりに撮像素子８を囲み、固定部材９と共同して撮像素子８の配置空間である内部空間２８を形成する。また、カメラ本体２２は、この枠体２７の開口端に対応して筐体２４に形成された開口部に、レンズユニット２３を連結する連結部２６を備える。一方、レンズユニット２３は、複数の固定レンズ２３ａ，２３ｂと、光軸方向に移動可能な可動レンズ２３ｃと、可動レンズ２３ｃを保持する可動レンズ鏡枠２３ｄと、かかる固定レンズ２３ａ，２３ｂを保持するとともに可動レンズ２３ｃおよび可動レンズ鏡枠２３ｄを内包するレンズ鏡枠２３ｅと、カメラ本体２２の連結部２６にレンズユニット２３を取り付けるための連結部２３ｆと、可動レンズ鏡枠２３ｄとともに可動レンズ２３ｃを移動させるレンズ駆動部２３ｈとを備える。この連結部２３ｆには、レンズユニット２３の内部空間とカメラ本体２２の内部空間２８とを連通する連通孔２３ｇが形成される。その他の構成は実施の形態１と同じであり、同一構成部分には同一符号を付している。
【００５３】
レンズユニット２３は、その光軸が撮像素子８の受光面の中心部を通過するようにカメラ本体２２に取り付けられる。この場合、レンズユニット２３は、カメラ本体２２の連結部２６と連結部２３ｆとを嵌合等によって着脱可能に連結することによって、このカメラ本体２２の筐体２４に着脱可能に取り付けられる。かかるレンズユニット２３は、このカメラ本体２２内部の撮像素子８の受光面に被写体からの光を集光して被写体の光学像を結像する。なお、このレンズユニット２３の光軸は、固定レンズ２３ａ，２３ｂおよび可動レンズ２３ｃの光軸である。
【００５４】
レンズ鏡枠２３ｅは、略円筒状の枠体であり、一端の内部に固定レンズ２３ａを保持し、他端に連結部２３ｆを有し、この連結部２３ｆを通して固定レンズ２３ｂを保持する。また、レンズ鏡枠２３ｅは、可動レンズ２３ｃと可動レンズ鏡枠２３ｄとレンズ駆動部２３ｈとを内蔵する。かかるレンズ鏡枠２３ｅは、固定レンズ２３ａ，２３ｂおよび可動レンズ２３ｃの各光軸を一致させた態様で固定レンズ２３ａ，２３ｂおよび可動レンズ２３ｃを保持する。この場合、レンズ鏡枠２３ｅは、可動レンズ鏡枠２３ｄまたはレンズ駆動部２３ｈを介して可動レンズ２３ｃを動作可能に保持する。
【００５５】
可動レンズ２３ｃおよび可動レンズ鏡枠２３ｄは、かかるレンズ鏡枠２３ｅの内部に配置される。可動レンズ鏡枠２３ｄは、可動レンズ２３ｃを保持し、レンズ駆動部２３ｈの作用によってレンズユニット２３の光軸方向に移動する。可動レンズ２３ｃは、この可動レンズ鏡枠２３ｄに保持された状態で固定レンズ２３ａ、２３ｂと光軸を一致させ、固定レンズ２３ａ，２３ｂと共同して被写体からの光を撮像素子８の受光面に集光する。また、可動レンズ２３ｃは、可動レンズ鏡枠２３ｄの作用によって光軸方向に移動して、焦点距離またはズーム倍率を調整する。レンズ駆動部２３ｈは、アクチュエータ等を用いて実現され、制御部２９の制御に基づいて駆動する。かかるレンズ駆動部２３ｈは、可動レンズ２３ｃを保持した状態の可動レンズ鏡枠２３ｄを光軸方向に移動する。
【００５６】
ここで、かかる可動レンズ２３ｃは、デジタルカメラ２１のフォーカシングまたはズーミングの際に光軸方向に移動することによって、レンズ鏡枠２３ｅの内部空間を加圧または減圧する。なお、このレンズ鏡枠２３ｅの内部空間と筐体２４の内部空間２８（すなわち撮像素子８の配置空間）とは、連結部２３ｆの連通孔２３ｇを介して連通する。可動レンズ２３ｃは、かかるレンズ鏡枠２３ｅの内部空間の加圧または減圧を通して、撮像素子８の配置空間である内部空間２８を間接的に加圧または減圧し、この結果、この内部空間２８とデジタルカメラ２１の外部とを通気孔６を通して通気する。すなわち、この内部空間２８の空気等の気体は、かかる可動レンズ２３ｃの移動によって間接的に加圧された場合、固定部材９の通気管路９ａ内および通気管１１内を順次流通して通気孔６から筐体２４の外部に放出される。一方、かかる可動レンズ２３ｃの移動によって内部空間２８が間接的に減圧された場合、デジタルカメラ２１の外部の気体は、通気孔６から筐体２４の内部に流入し、通気管１１内および通気管路９ａ内を順次流通してこの内部空間２８に流入する。このようにレンズ鏡枠２３ｅの内部空間を通して間接的に筐体２４の内部空間２８に作用する可動レンズ２３ｃ、可動レンズ鏡枠２３ｄ、およびレンズ駆動部２３ｈを含む移動機構は、内部空間２８を加圧または減圧して内部空間２８と筐体２４の外部とを強制的に通気する通気機構として機能する。
【００５７】
なお、この内部空間２８の気体は、撮像素子８および制御部２９等の電子部品の放熱、かかる電子部品を搭載した固定部材９の放熱、および枠体２７の放熱によって熱せられ、かかるデジタルカメラ２１の通気機構の作用によって換気される。これによって、内部空間２８内の熱、すなわち撮像素子８または制御部２９等の熱源から発生した熱は筐体２４の外部に放出され、この結果、撮像素子８等の電子部品が冷却される。
【００５８】
筐体２４は、カメラ本体２２の外形をなすものであり、カメラ本体２２の各構成部を内蔵する。具体的には、筐体２４は、外部から押し下げ操作可能な態様でレリーズボタン４を内蔵し、被写体からの光を撮像素子８の受光面に入射可能な態様で枠体２７を内蔵し、外部に表示画面を露出した態様で表示部１２を内蔵し、電池等を交換可能な態様で電源部１５を内蔵する。筐体２４の上部には、ポップアップタイプの発光部２５が設けられる。筐体２４の内部には、撮像素子８、固定部材９、通気管１１、記憶部１３、および制御部２９が配置される。一方、筐体２４には、上述した実施の形態１の場合と同様に、撮像素子８の配置空間である内部空間２８と筐体２４の外部とを連通する通気孔６が形成される。かかる筐体２４の通気孔６は、通気性および非透水性を有するフィルタ７によって覆われる。
【００５９】
発光部２５は、ポップアップタイプのストロボであり、制御部２９の制御に基づいて、筐体２４から起き上がるように飛び出し、被写体を照明できる状態（ポップアップ状態）になる。かかるポップアップ状態の発光部２５は、制御部２９の制御に基づいて、閃光等の照明光を発光し、この発光した照明光によって被写体を照明する。
【００６０】
枠体２７は、外周側の部材に比して内周側の部材の熱伝導性が高い多重構造を有する略矩形管状の部材である。具体的には、枠体２７は、略矩形管状をなす外周側の低熱伝導性部材２７ｂと、略矩形管状をなす内周側の高熱伝導性部材２７ａとを層状に重ねて形成される。かかる枠体２７の多重構造の外周側をなす低熱伝導性部材２７ｂは、断熱材等の熱伝導率が比較的小さい部材によって形成される。一方、かかる枠体２７の多重構造の内周側をなす高熱伝導性部材２７ａは、アルミニウムまたは銅等の熱伝導率が比較的大きい部材によって形成され、この低熱伝導性部材２７ｂに比して高い熱伝導性を有する。かかる枠体２７は、一端（筐体２４の外部側の端部）が筐体２４に固定され、他端（筐体２４の内部側の端部）を固定部材９に接続して固定部材９上の撮像素子８を囲むとともに、この固定部材９と共同して撮像素子８の配置空間、すなわち筐体２４の内部空間２８を形成する。この場合、内部空間２８は、枠体２７の内周側壁面と固定部材９の壁面とレンズユニット２３とによって囲まれた空間である。
【００６１】
制御部２９は、処理プログラムを実行するＣＰＵと、処理プログラム等を予め記憶したＲＯＭと、各処理の演算パラメータ等を一時記憶するＲＡＭとを用いて実現され、上述した固定部材９の一部である回路基板に実装される。制御部２９は、発光部２５のポップアップ動作を制御し、筐体２４の上部にポップアップした状態の発光部２５の発光動作を制御する。また、制御部２９は、レリーズボタン４からの入力情報をもとにレンズ駆動部２３ｈを制御して可動レンズ鏡枠２３ｄとともに可動レンズ２３ｃを光軸方向に移動させて、レンズユニット２３の焦点距離を調整するフォーカシング動作またはズーム倍率を調整するズーミング動作を制御する。かかる制御部２９が有する他の機能は、上述した実施の形態１にかかるデジタルカメラ１の制御部１４と同様である。
【００６２】
つぎに、この実施の形態２にかかるデジタルカメラ２１の排気による撮像素子８の冷却性能について説明する。図９は、実施の形態２にかかる電子撮像装置の排気による撮像素子の冷却性能を説明するための模式図である。デジタルカメラ２１の通気機構は、レンズユニット２３の内部空間を加圧することによって筐体２４の内部空間２８の気体を通気孔６から筐体２４の外部に排気し、この結果、この内部空間２８の熱を筐体２４の外部に排出する。
【００６３】
具体的には、撮像素子８および制御部２９は、被写体の画像を撮像する際に電力を消費して駆動し、これに伴って発熱する。また、撮像素子８および制御部２９を実装した回路基板等の固定部材９は、かかる撮像素子８および制御部２９の駆動とともに発熱する。かかる撮像素子８、制御部２９、および固定部材９の熱は、各表面から内部空間２８に放出されるとともに、図９の実線矢印に示されるように枠体２７に伝導する。ここで、枠体２７は、上述したように、外周側の低熱伝導性部材２７ｂと、この低熱伝導性部材２７ｂに比して熱伝導性が高い内周側の高熱伝導性部材２７ａとによって形成される。かかる多重構造の枠体２７は、固定部材９から吸収した熱の略全てを内周側の高熱伝導性部材２７ａを介して内部空間２８に放出する。この場合、高熱伝導性部材２７ａは、固定部材９および外周側の低熱伝導性部材２７ｂから熱を吸収し、この吸収した熱を内部空間２８に放出する。このようにして、かかる撮像素子８、制御部２９、および固定部材９の熱は、撮像素子８の配置空間である内部空間２８に放出される。
【００６４】
なお、外周側の低熱伝導性部材２７ｂは、固定部材９からの吸熱量が小さく且つ内周側の高熱伝導性部材２７ａによって吸熱されるため、固定部材９からの熱によって高温状態になることを抑制され、低温状態に維持される。かかる枠体２７は、筐体２４に固定部材９または内部空間２８の熱を伝導することを抑制でき、この結果、筐体２４は、低温状態に維持される。
【００６５】
ここで、デジタルカメラ２１の通気機構の一部である可動レンズ２３ｃは、図９に示すように、フォーカシング動作またはズーミング動作の際に可動レンズ鏡枠２３ｄとともに光軸方向（ここでは固定レンズ２３ｂに近付く方向）に移動することによって、レンズ鏡枠２３ｅの内部空間のうちの可動レンズ２３ｃと固定レンズ２３ｂとに挟まれた内部空間を加圧する。この場合、このレンズ鏡枠２３ｅの内部空間の気体は、連結部２３ｆの連通孔２３ｇを通って筐体２４の内部空間２８に流れ込み、この結果、この内部空間２８が加圧される。このように、可動レンズ２３ｃは、かかるレンズ鏡枠２３ｅの内部空間の加圧を通して間接的に筐体２４の内部空間２８を加圧する。
【００６６】
この内部空間２８の空気等の気体は、上述したように高熱伝導性部材２７ａ側および固定部材９側から熱を吸収し、かかる可動レンズ２３ｃの間接的な加圧作用によって圧縮される。このように圧縮された内部空間２８の気体は、内部空間２８から通気管路９ａを通って通気管１１内に排出され、その後、この通気管１１内を流通し、フィルタ７を通って通気孔６から筐体２４の外部に強制的に排出される。この場合、撮像素子８および制御部２９の熱は、かかる内部空間２８から筐体２４の外部への排気によって、内部空間２８の気体とともに筐体２４の外部に十分に排出される。このような排気による放熱作用によって、内部空間２８内の撮像素子８、固定部材９、および制御部２９は冷却され、この結果、撮像素子８の温度上昇は、設計仕様に規定された範囲内に抑制される。
【００６７】
つぎに、この実施の形態２にかかるデジタルカメラ２１の吸気による撮像素子８の冷却性能について説明する。図１０は、実施の形態２にかかる電子撮像装置の吸気による撮像素子の冷却性能を説明するための模式図である。デジタルカメラ２１の通気機構は、フィルタ７を通して通気孔６から外気を筐体２４の内部空間２８に吸引し、この吸引した気体に熱を吸収させることによって、この内部空間２８内の撮像素子８等を冷却する。
【００６８】
具体的には図１０に示すように、デジタルカメラ２１の通気機構の一部である可動レンズ２３ｃは、フォーカシング動作またはズーミング動作の際に可動レンズ鏡枠２３ｄとともに光軸方向（ここでは固定レンズ２３ｂから離間する方向）に移動することによって、レンズ鏡枠２３ｅの内部空間のうちの可動レンズ２３ｃと固定レンズ２３ｂとに挟まれた内部空間を減圧する。この場合、筐体２４の内部空間２８の気体は、連結部２３ｆの連通孔２３ｇを通ってレンズ鏡枠２３ｅの内部空間に流れ込み、この結果、この内部空間２８が減圧される。このように、可動レンズ２３ｃは、かかるレンズ鏡枠２３ｅの内部空間の減圧を通して間接的に筐体２４の内部空間２８を減圧する。
【００６９】
このように内部空間２８が減圧された場合、外気は、フィルタ７を通って通気孔６から通気管１１内に入り込み、その後、この通気管１１内を流通して通気管路９ａから内部空間２８に入り込む。かかる可動レンズ２３ｃは、このようにして内部空間２８に外気を吸引する。
【００７０】
一方、撮像素子８、制御部２９、および固定部材９の回路基板は、上述したように、駆動に伴って発熱する。かかる撮像素子８、制御部２９、および固定部材９の熱は、各表面から内部空間２８に放出されるとともに、上述したように枠体２７を介して内部空間２８に放出される。ここで、上述した可動レンズ２３ｃの移動は、レンズ鏡枠２３ｅの内部空間の減圧を通して筐体２４の内部空間２８を間接的に減圧することによって、筐体２４の外部から内部空間２８内に空気等の気体を吸引するとともに、この吸引した気体に、高熱伝導性部材２７ａ側の熱（高熱伝導性部材２７ａが低熱伝導性部材２７ｂおよび固定部材９から吸収した熱）と固定部材９側の熱（撮像素子８および制御部２９の駆動に伴って発生した熱）とを吸収させる吸熱作用を促進する。かかる可動レンズ２３ｃの減圧作用によって内部空間２８内に吸引された空気等の気体は、通常、駆動時の撮像素子８および制御部２９に比して温度が低く、高熱伝導性部材２７ａ側および固定部材９側から熱を効率よく吸収する。この場合、撮像素子８および制御部２９の熱は、かかる内部空間２８への吸気によって内部空間２８に十分に放出される。このような吸気による吸熱作用によって、内部空間２８内の撮像素子８、固定部材９、および制御部２９は冷却され、この結果、撮像素子８の温度上昇は、設計仕様に規定された範囲内に抑制される。
【００７１】
なお、かかる撮像素子８および制御部２９の熱を吸収した内部空間２８の気体は、上述した可動レンズ２３ｃの移動による加圧作用によって間接的に圧縮され、その後、通気管路９ａ内および通気管１１内を順次流通し、フィルタ７を通って通気孔６から筐体２４の外部に強制的に排出される。これによって、撮像素子８および制御部２９の熱は、この内部空間２８の気体とともに筐体２４の外部に排出される。すなわち、上述した通気機構を有するデジタルカメラ２１は、筐体２４の外部と内部空間２８との間で強制的に通気（排気および吸気）を繰り返し、この結果、撮像素子８および制御部２９の熱を外部に放出して撮像素子８等を冷却するとともに、撮像素子８の温度上昇を抑制する。
【００７２】
以上、説明したように、本発明の実施の形態２では、筐体内部に撮像素子を固定する固定部材と撮像素子を囲む枠体とが共同して撮像素子の配置空間を形成し、この筐体に着脱可能に取り付けられるレンズユニットに、このレンズユニットの一部であるレンズ鏡枠の内部空間と撮像素子の配置空間とを連通する連通孔を形成し、このレンズ鏡枠内の可動レンズを光軸方向に移動させてレンズ鏡枠の内部空間を加圧または減圧し、このレンズ鏡枠の内部空間の加圧または減圧を通して撮像素子の配置空間を間接的に加圧または減圧し、これによって、この撮像素子の配置空間と筐体外部とを強制的に通気するようにし、その他を上述した実施の形態１と同様に構成した。このため、上述した実施の形態１と同様の作用効果を享受するとともに、レンズユニットが着脱可能なタイプ（例えば一眼レフタイプ）の電子撮像装置であっても、この着脱可能なレンズユニット内の可動レンズを光軸方向に移動させることによって撮像素子の配置空間と筐体外部とを強制的に通気でき、この結果、装置内部の熱を装置外部に十分に排出できるとともに撮像素子の温度上昇を所定の範囲内に抑制することができる。
【００７３】
また、比較的熱を伝導し難い外周側の低熱伝導性部材と、この低熱伝導性部材に比して熱伝導性が高い内周側の高熱伝導性部材とによって多重構造の枠体を形成し、この多重構造の枠体を撮像素子の固定部材に接続して、この多重構造の枠体によって撮像素子を囲むようにした。このため、この枠体が固定部材を介して吸収した撮像素子等の熱を撮像素子の配置空間内に効率よく放出できるとともに、この枠体の外周側の温度上昇を抑制できる。これによって、撮像素子等の熱による筐体の温度上昇を抑制することができ、この結果、ユーザが電子撮像装置を把持した際に筐体の高温化によって生じる不快感を軽減することができる。
【００７４】
（実施の形態３）
つぎに、本発明の実施の形態３について説明する。上述した実施の形態２では、着脱可能なレンズユニットの内部空間を加圧または減圧することによって撮像素子の配置空間を間接的に加圧または減圧し、これによって、撮像素子の配置空間と筐体外部とを通気していたが、この実施の形態３では、着脱可能なレンズユニットのレンズ鏡枠に通気孔を形成し、筐体内部の熱伝導性部材およびレンズ鏡枠を介して撮像素子等の熱をレンズ鏡枠の内部空間に放出し、このレンズ鏡枠の内部空間と外部とを強制的に通気して、この撮像素子等の熱を外部に排出するようにしている。
【００７５】
図１１は、本発明の実施の形態３にかかる電子撮像装置の一構成例を示す模式図である。図１２は、この実施の形態３にかかる電子撮像装置の内部構成を例示する断面模式図である。図１３は、この実施の形態３にかかる電子撮像装置の一機能構成例を模式的に示すブロック図である。
【００７６】
図１１〜１３に示すように、この実施の形態３にかかる電子撮像装置であるデジタルカメラ３１は、一眼レフタイプのデジタルカメラであり、カメラ本体３２とレンズユニット３３とを備える。カメラ本体３２は、上述した実施の形態２にかかるデジタルカメラ２１の枠体２７に代えて枠体３６を備える。なお、このカメラ本体３２の筐体２４には、上述した通気孔６が形成されていない。また、この筐体２４の内部には、上述した通気管１１が配置されておらず、この筐体２４の内部の固定部材９には通気管路９ａが形成されていない。一方、レンズユニット３３は、上述した実施の形態２にかかるデジタルカメラ２１のレンズ鏡枠２３ｅに代えて多重構造のレンズ鏡枠３３ｅを備え、連結部２３ｆに代えて連結部３３ｈを備える。このレンズ鏡枠３３ｅには、レンズ鏡枠３３ｅの内部空間のうちの固定レンズ２３ｂと可動レンズ２３ｃとに挟まれた内部空間３４とレンズ鏡枠３３ｅの外部とを連通する通気孔３３ｉが形成され、この通気孔３３ｉを覆う態様でフィルタ７がレンズ鏡枠３３ｅに設けられる。その他の構成は実施の形態２と同じであり、同一構成部分には同一符号を付している。
【００７７】
レンズユニット３３は、その光軸が撮像素子８の受光面の中心部を通過するようにカメラ本体３２に取り付けられる。この場合、レンズユニット３３は、カメラ本体３２の連結部２６と連結部３３ｈとを嵌合等によって着脱可能に連結することによって、このカメラ本体３２の筐体２４に着脱可能に取り付けられる。かかるレンズユニット３３は、このカメラ本体３２内部の撮像素子８の受光面に被写体からの光を集光して被写体の光学像を結像する。なお、このレンズユニット３３の光軸は、固定レンズ２３ａ，２３ｂおよび可動レンズ２３ｃの光軸である。
【００７８】
レンズ鏡枠３３ｅは、略円筒状の枠体であり、一端の内部に固定レンズ２３ａを保持し、他端に連結部３３ｈを有し、この連結部３３ｈを通して固定レンズ２３ｂを保持する。また、レンズ鏡枠３３ｅは、上述した実施の形態２にかかるデジタルカメラ２１のレンズ鏡枠２３ｅと同様に、可動レンズ２３ｃと可動レンズ鏡枠２３ｄとレンズ駆動部２３ｈとを内蔵し、固定レンズ２３ａ，２３ｂおよび可動レンズ２３ｃの各光軸を一致させた態様で固定レンズ２３ａ，２３ｂおよび可動レンズ２３ｃを保持する。
【００７９】
また、レンズ鏡枠３３ｅは、外周側の部材に比して内周側の部材の熱伝導性が高い多重構造を有する。具体的には、レンズ鏡枠３３ｅは、略円筒形状をなす外周側の低熱伝導性部材３３ｇと、略円筒形状をなす内周側の高熱伝導性部材３３ｆとを層状に重ねて形成される。かかるレンズ鏡枠３３ｅの多重構造の外周側をなす低熱伝導性部材３３ｇは、断熱材等の熱伝導率が比較的小さい部材によって形成される。一方、かかるレンズ鏡枠３３ｅの多重構造の内周側をなす高熱伝導性部材３３ｆは、アルミニウムまたは銅等の熱伝導率が比較的大きい部材によって形成され、この低熱伝導性部材３３ｇに比して高い熱伝導性を有する。かかるレンズ鏡枠３３ｅの高熱伝導性部材３３ｆは、連結部３３ｈと接続され、この連結部３３ｈおよびカメラ本体３２の連結部２６を介して枠体３６から熱（撮像素子８等の熱）を吸収する。かかる高熱伝導性部材３３ｆに吸収された熱は、レンズ鏡枠３３ｅの内部空間３４に放出される。
【００８０】
なお、このレンズ鏡枠３３ｅの内部空間３４は、かかる高熱伝導性部材３３ｆの内壁面と固定レンズ２３ｂと可動レンズ２３ｃとによって囲まれた空間である。このレンズ鏡枠３３ｅに形成された通気孔３３ｉは、この内部空間３４とレンズ鏡枠３３ｅの外部とを連通する。
【００８１】
ここで、かかるレンズ鏡枠３３ｅの内部には、上述した可動レンズ２３ｃと可動レンズ鏡枠２３ｄとレンズ駆動部２３ｈとが配置される。かかる可動レンズ２３ｃは、レンズ鏡枠３３ｅの内部において、デジタルカメラ３１のフォーカシングまたはズーミングの際に光軸方向に移動し、これによって、レンズ鏡枠３３ｅの内部空間３４を加圧または減圧する。この結果、可動レンズ２３ｃは、この内部空間３４とデジタルカメラ３１の外部とを通気孔３３ｉを通して通気する。すなわち、この内部空間３４の空気等の気体は、かかる可動レンズ２３ｃの移動によって加圧された場合、通気孔３３ｉからレンズ鏡枠３３ｅの外部に放出される。一方、かかる可動レンズ２３ｃの移動によって内部空間３４が減圧された場合、デジタルカメラ３１の外部の気体は、通気孔３３ｉから内部空間３４に流入する。このようにレンズ鏡枠３３ｅの内部空間３４に作用する可動レンズ２３ｃ、可動レンズ鏡枠２３ｄ、およびレンズ駆動部２３ｈを含む移動機構は、内部空間３４を加圧または減圧して内部空間３４とレンズ鏡枠３３ｅの外部とを強制的に通気する通気機構として機能する。
【００８２】
枠体３６は、アルミニウムまたは銅等の比較的熱伝導性が高い部材によって形成される矩形管状の部材である。枠体３６は、一端（筐体２４の外部側の端部）が連結部２６に接続した態様で筐体２４に固定され、他端（筐体２４の内部側の端部）が固定部材９上の撮像素子８を囲む態様で固定部材９に固定される。かかる枠体３６は、固定部材９の熱を吸収するとともに固定部材９を介して撮像素子８および制御部２９の熱を吸収し、吸収した熱を連結部２６，３３ｈを介してレンズ鏡枠３３ｅに伝導する。
【００８３】
つぎに、この実施の形態３にかかるデジタルカメラ３１の排気による撮像素子８の冷却性能について説明する。図１４は、実施の形態３にかかる電子撮像装置の排気による撮像素子の冷却性能を説明するための模式図である。デジタルカメラ３１の通気機構は、撮像素子８等の熱を吸収したレンズ鏡枠３３ｅの内部空間３４を加圧することによって、この内部空間３４の気体を通気孔３３ｉからレンズ鏡枠３３ｅの外部に排気し、この結果、筐体２４内部の撮像素子８等の熱をデジタルカメラ３１の外部に排出する。
【００８４】
具体的には、撮像素子８および制御部２９は、被写体の画像を撮像する際に電力を消費して駆動し、これに伴って発熱する。また、撮像素子８および制御部２９を実装した回路基板等の固定部材９は、かかる撮像素子８および制御部２９の駆動とともに発熱する。かかる撮像素子８、制御部２９、および固定部材９の熱は、枠体３６によって吸収され、図１４の実線矢印に示されるように、連結部２６，３３ｈを介して枠体３６からレンズ鏡枠３３ｅに伝導する。この場合、枠体３６は、固定部材９を介して撮像素子８および制御部２９の熱を吸収するとともに、枠体３６の内周側壁面と固定部材９の壁面とによって囲まれた内部空間、すなわち筐体２４内部における撮像素子８の配置空間から熱（撮像素子８、制御部２９、および固定部材９によって放出された熱）を吸収する。
【００８５】
ここで、レンズ鏡枠３３ｅは、上述したように、外周側の低熱伝導性部材３３ｇと、この低熱伝導性部材３３ｇに比して熱伝導性が高い内周側の高熱伝導性部材３３ｆとによって形成される。かかる多重構造のレンズ鏡枠３３ｅは、連結部２６，３３ｈを介して枠体３６から吸収した撮像素子８等の熱の略全てを内周側の高熱伝導性部材３３ｆを介して内部空間３４に放出する。この場合、高熱伝導性部材３３ｆは、枠体３６および外周側の低熱伝導性部材３３ｇから熱を吸収し、この吸収した熱を内部空間３４に放出する。このようにして、かかる撮像素子８、制御部２９、および固定部材９の熱は、レンズ鏡枠３３ｅの内部空間３４に移される。
【００８６】
なお、外周側の低熱伝導性部材３３ｇは、連結部３３ｈ，２６を介した枠体３６からの吸熱量が小さく且つ内周側の高熱伝導性部材３３ｆによって吸熱されるため、枠体３６からの熱によって高温状態になることを抑制され、低温状態に維持される。この結果、レンズ鏡枠３３ｅの外周面は、低温状態に維持される。
【００８７】
ここで、デジタルカメラ３１の通気機構の一部である可動レンズ２３ｃは、図１４に示すように、フォーカシング動作またはズーミング動作の際に可動レンズ鏡枠２３ｄとともに光軸方向（ここでは固定レンズ２３ｂに近付く方向）に移動することによって、レンズ鏡枠２３ｅの内部空間３４を加圧する。この内部空間３４の空気等の気体は、上述したように高熱伝導性部材３３ｆによって放出された筐体２４内部の熱（すなわち撮像素子８および制御部２９の熱）を吸収し、かかる可動レンズ２３ｃの加圧作用によって圧縮される。このように圧縮された内部空間３４の気体は、フィルタ７を通って通気孔３３ｉからレンズ鏡枠３３ｅの外部に強制的に排出される。この場合、撮像素子８および制御部２９の熱は、かかる内部空間３４からレンズ鏡枠３３ｅの外部への排気によって、内部空間３４の気体とともにデジタルカメラ３１の外部に十分に排出される。このような排気による放熱作用によって、筐体２４内部の撮像素子８、固定部材９、および制御部２９は冷却され、この結果、撮像素子８の温度上昇は、設計仕様に規定された範囲内に抑制される。
【００８８】
つぎに、この実施の形態３にかかるデジタルカメラ３１の吸気による撮像素子８の冷却性能について説明する。図１５は、実施の形態３にかかる電子撮像装置の吸気による撮像素子の冷却性能を説明するための模式図である。デジタルカメラ３１の通気機構は、フィルタ７を通して通気孔３３ｉから外気をレンズ鏡枠３３ｅの内部空間３４に吸引し、この吸引した気体に筐体２４内部の熱（撮像素子８等の熱）を吸収させることによって、この筐体２４内部の撮像素子８等を冷却する。
【００８９】
具体的には図１５に示すように、デジタルカメラ３１の通気機構の一部である可動レンズ２３ｃは、フォーカシング動作またはズーミング動作の際に可動レンズ鏡枠２３ｄとともに光軸方向（ここでは固定レンズ２３ｂから離間する方向）に移動することによって、レンズ鏡枠３３ｅの内部空間３４を減圧する。このように内部空間３４が減圧された場合、外気は、フィルタ７を通って通気孔３３ｉから内部空間３４に入り込む。かかる可動レンズ２３ｃは、このようにして内部空間３４に外気を吸引する。
【００９０】
一方、撮像素子８、制御部２９、および固定部材９の回路基板は、上述したように、駆動に伴って発熱する。かかる撮像素子８、制御部２９、および固定部材９の熱は、枠体３６に吸収され、上述したように、連結部２６，３３ｈを介して枠体３６から高熱伝導性部材３３ｆに伝導し、この高熱伝導性部材３３ｆからレンズ鏡枠３３ｅの内部空間３４に放出される。この場合、枠体３６は、上述したように、固定部材９を介して撮像素子８および制御部２９の熱を吸収するとともに撮像素子８の配置空間から熱（撮像素子８、制御部２９、および固定部材９によって放出された熱）を吸収する。
【００９１】
ここで、上述した可動レンズ２３ｃは、レンズ鏡枠３３ｅの内部空間３４を減圧することによって、レンズ鏡枠３３ｅの外部から内部空間３４内に空気等の気体を吸引するとともに、この吸引した気体に、高熱伝導性部材３３ｆからの熱（高熱伝導性部材３３ｆが低熱伝導性部材３３ｇおよび枠体３６から吸収した熱）を吸収させる吸熱作用を促進する。かかる可動レンズ２３ｃの減圧作用によって内部空間３４内に吸引された空気等の気体は、通常、駆動時の撮像素子８および制御部２９に比して温度が低く、高熱伝導性部材３３ｆからの熱を効率よく吸収する。これに伴って、撮像素子８および制御部２９の熱は、枠体３６および連結部２６，３３ｈを介して、より一層高熱伝導性部材３３ｆに吸収され、この高熱伝導性部材３３ｆから内部空間３４に十分に放出される。このような吸気による吸熱作用によって、筐体２４内部の撮像素子８、固定部材９、および制御部２９は冷却され、この結果、撮像素子８の温度上昇は、設計仕様に規定された範囲内に抑制される。
【００９２】
なお、かかる撮像素子８および制御部２９の熱を吸収した内部空間３４の気体は、上述した可動レンズ２３ｃの加圧作用によって圧縮され、その後、フィルタ７を通って通気孔３３ｉからレンズ鏡枠３３ｅの外部に強制的に排出される。これによって、撮像素子８および制御部２９の熱は、この内部空間３４の気体とともにデジタルカメラ３１の外部に排出される。すなわち、上述した通気機構を有するデジタルカメラ３１は、筐体２４側からレンズ鏡枠３３ｅの内部空間３４に撮像素子８および制御部２９の熱を放出し、この熱を放出した内部空間３４と外部との間で強制的に通気（排気および吸気）を繰り返し、この結果、撮像素子８および制御部２９の熱を外部に放出して撮像素子８等を冷却するとともに、撮像素子８の温度上昇を抑制する。
【００９３】
以上、説明したように、本発明の実施の形態３では、レンズユニットのレンズ鏡枠に、このレンズ鏡枠の内部空間と外部とを連通する通気孔を形成し、筐体内部に撮像素子を固定する固定部材と熱伝導性部材とを接続し、この熱伝導性部材によって筐体内部からレンズ鏡枠に撮像素子等の熱を伝達してレンズ鏡枠の内部空間に撮像素子等の熱を放出するようにし、また、このレンズ鏡枠内の可動レンズを光軸方向に移動させてレンズ鏡枠の内部空間を加圧または減圧し、これによって、このレンズ鏡枠の内部空間と外部とを強制的に通気するようにし、その他を上述した実施の形態２と同様に構成した。このため、上述した実施の形態２と同様の作用効果を享受するとともに、筐体内部からの熱を吸収したレンズ鏡枠の内部空間を可動レンズの移動によって直接的に加圧または減圧でき、この結果、レンズユニットが着脱可能なタイプ（例えば一眼レフタイプ）の電子撮像装置であっても、撮像素子等の熱を吸収したレンズ鏡枠内の気体をより強力に排気することができ、この気体とともに装置内部の熱を装置外部に十分に排出できる。
【００９４】
また、比較的熱を伝導し難い外周側の低熱伝導性部材と、この低熱伝導性部材に比して熱伝導性が高い内周側の高熱伝導性部材とによって多重構造のレンズ鏡枠を形成し、この多重構造のレンズ鏡枠に筐体内部の熱伝導性部材から撮像素子等の熱を伝導するようにした。このため、この熱伝導性部材を介して吸収した撮像素子等の熱をレンズ鏡枠の内部空間内に効率よく放出できるとともに、このレンズ鏡枠の外周側の温度上昇を抑制できる。これによって、撮像素子等の熱によるレンズ鏡枠の温度上昇を抑制することができ、この結果、ユーザがレンズユニットを把持した際にレンズ鏡枠の高温化によって生じる不快感を軽減することができる。
【００９５】
さらに、レンズ鏡枠に撮像素子等の熱を伝達する熱伝導性部材を略矩形管状の枠体にし、この枠体を撮像素子の固定部材に接続し、この枠体によって撮像素子を囲むとともに、この枠体と固定部材とが共同して筐体内部における撮像素子の配置空間を形成するようにした。このため、この固定部材を介して枠体である熱伝導性部材に撮像素子等の熱を効率よく伝達できるとともに、この撮像素子の配置空間に放出された熱をこの枠体によって吸収することができる。これによって、この枠体からレンズ鏡枠に撮像素子等の熱を効率よく伝達することができ、この結果、撮像素子の配置空間の温度上昇を抑制できるとともに、撮像素子の温度上昇の抑制効果を高めることができる。
【００９６】
なお、上述した本発明の実施の形態１，２では、図２に示したレンズ鏡枠５ｄまたは図７に示した枠体２７のように、撮像素子の配置空間に面する枠体の内周側壁面が略平坦である場合を例示したが、これに限らず、かかる枠体の内周側壁面に凹凸形状を形成してもよい。例えば実施の形態１にかかるデジタルカメラ１において、図１６に示すように、撮像素子８の配置空間である内部空間１０に面するレンズ鏡枠５ｄの内周側壁面、すなわち、高熱伝導性部材５ｅの内周側壁面に凹凸形状を形成してもよい。これによって、高熱伝導性部材５ｅと内部空間１０との接触面積をより大きくすることができ、この結果、高熱伝導性部材５ｅから内部空間１０に撮像素子８等の熱を効率よく放出することができる。かかる作用効果は、実施の形態２にかかるデジタルカメラ２１において枠体２７の高熱伝導性部材２７ａの内周側壁面に凹凸形状を形成した場合も同様に得られる。
【００９７】
また、上述した本発明の実施の形態３では、通気孔３３ｉを介して外部と連通するレンズ鏡枠３３ｅの内部空間３４に面する高熱伝導性部材３３ｆの内周側壁面が略平坦である場合を例示したが、これに限らず、この高熱伝導性部材３３ｆの内周側壁面に凹凸形状を形成してもよい。これによって、高熱伝導性部材３３ｆと内部空間３４との接触面積をより大きくすることができ、この結果、高熱伝導性部材３３ｆから内部空間３４に熱を効率よく放出することができる。
【００９８】
さらに、上述した本発明の実施の形態３では、熱伝導性部材である枠体３６の内周側壁面（すなわち撮像素子８の配置空間に面する壁面）が略平坦である場合を例示したが、これに限らず、かかる枠体３６の内周側壁面に凹凸形状を形成してもよい。これによって、枠体３６と撮像素子８の配置空間との接触面積をより大きくすることができ、この結果、枠体３６によって撮像素子８の配置空間から熱を効率よく吸収することができる。
【００９９】
また、上述した本発明の実施の形態２，３では、図７に示した枠体２７または図１２に示した枠体３６のように、その形状が矩形管状である場合を例示したが、これは撮像素子８の形状が通常矩形であることにのみよるものであり、固定部材９と共同して内部空間を形成できるのであれば、これに限らず、略円筒形状等の形状としてもよい。
【０１００】
また、上述した実施の形態１〜３では、焦点距離またはズーム倍率を調整する際にレンズ駆動部の駆動を制御して可動レンズを光軸方向に移動させていたが、これに限らず、レンズ駆動部によらず手動によって可動レンズを光軸方向に移動させて焦点距離またはズーム倍率を調整してもよい。この場合、本発明にかかる電子撮像装置の通気機構は、手動によって光軸方向に可動レンズを移動させて装置内部と装置外部とを強制的に通気する。
【０１０１】
さらに、上述した実施の形態１〜３では、１つまたは２つの固定レンズと１つの可動レンズとを内蔵したレンズユニットを例示したが、これに限らず、レンズユニットに内蔵される固定レンズの数量は３以上であってもよいし、可動レンズの数量は２以上であってもよい。
【０１０２】
また、上述した実施の形態１〜３では、外周側の低熱伝導性部材と内周側の高熱伝導性部材とによって２重構造の枠体（例えばレンズ鏡枠５ｄ，３３ｅまたは枠体２７）を例示したが、これに限らず、枠体の外周側に比して内周側の熱伝導性が高ければ、３層以上の多重構造を有する枠体であってもよい。
【０１０３】
さらに、上述した本発明の実施の形態１〜３では、本発明にかかる電子撮像装置の一例としてデジタルカメラを例示したが、これに限らず、本発明にかかる電子撮像装置は、筐体内部に撮像素子を内蔵した装置であればよく、例えば、二眼レフタイプまたはコンパクトタイプのデジタルカメラであってもよいし、デジタルビデオカメラであってもよいし、撮像機能を有する携帯電話機またはＰＤＡであってもよい。
【０１０４】
また、上述した本発明の実施の形態１〜３では、筐体またはレンズ鏡枠に通気孔を一つ形成していたが、これに限らず、筐体またはレンズ鏡枠には複数の通気孔を形成してもよい。これによって、撮像素子等の熱の排出性能を高めることができる。また、かかる筐体またはレンズ鏡枠に形成される通気孔の形状は、円形または矩形等、所望の形状にしてもよい。
【０１０５】
さらに、上述した本発明の実施の形態１，２では、撮像素子８の配置空間と通気孔６とを通気管１１によって連通していたが、これに限らず、固定部材９の通気管路９ａと通気孔６とを直に接続して、通気管１１を用いずに撮像素子８の配置空間と通気孔６とを連通させてもよい。また、撮像素子８の配置空間と外部とを連通する通気孔６は、筐体の正面側に形成されることが望ましいが、筐体の側面、背面、底部、または上部等、所望の箇所に形成してもよい。
【図面の簡単な説明】
【０１０６】
【図１】本発明の実施の形態１にかかる電子撮像装置の一構成例を示す模式図である。
【図２】この実施の形態１にかかる電子撮像装置の内部構成を例示する断面模式図である。
【図３】この実施の形態１にかかる電子撮像装置の一機能構成例を模式的に示すブロック図である。
【図４】実施の形態１にかかる電子撮像装置の排気による撮像素子の冷却性能を説明するための模式図である。
【図５】実施の形態１にかかる電子撮像装置の吸気による撮像素子の冷却性能を説明するための模式図である。
【図６】本発明の実施の形態２にかかる電子撮像装置の一構成例を示す模式図である。
【図７】この実施の形態２にかかる電子撮像装置の内部構成を例示する断面模式図である。
【図８】この実施の形態２にかかる電子撮像装置の一機能構成例を模式的に示すブロック図である。
【図９】実施の形態２にかかる電子撮像装置の排気による撮像素子の冷却性能を説明するための模式図である。
【図１０】実施の形態２にかかる電子撮像装置の吸気による撮像素子の冷却性能を説明するための模式図である。
【図１１】本発明の実施の形態３にかかる電子撮像装置の一構成例を示す模式図である。
【図１２】この実施の形態３にかかる電子撮像装置の内部構成を例示する断面模式図である。
【図１３】この実施の形態３にかかる電子撮像装置の一機能構成例を模式的に示すブロック図である。
【図１４】実施の形態３にかかる電子撮像装置の排気による撮像素子の冷却性能を説明するための模式図である。
【図１５】実施の形態３にかかる電子撮像装置の吸気による撮像素子の冷却性能を説明するための模式図である。
【図１６】実施の形態１にかかる電子撮像装置の一変形例を示す断面模式図である。
【符号の説明】
【０１０７】
１，２１，３１  デジタルカメラ
２，２４  筐体
３，２５  発光部
４  レリーズボタン
５，２３，３３  レンズユニット
５ａ，２３ａ，２３ｂ  固定レンズ
５ｂ，２３ｃ  可動レンズ
５ｃ，２３ｄ  可動レンズ鏡枠
５ｄ，２３ｅ，３３ｅ  レンズ鏡枠
５ｅ，２７ａ，３３ｆ  高熱伝導性部材
５ｆ，２７ｂ，３３ｇ  低熱伝導性部材
５ｇ，２３ｈ  レンズ駆動部
６，３３ｉ  通気孔
７  フィルタ
８  撮像素子
９  固定部材
９ａ  通気管路
１０，２８，３４  内部空間
１１  通気管
１２  表示部
１３  記憶部
１４，２９  制御部
１４ａ  画像処理部
１５  電源部
２２，３２  カメラ本体
２３ｆ，２６，３３ｈ  連結部
２３ｇ  連通孔
２７，３６  枠体
【図１】
2009100174.tif 000003
【図２】
2009100174.tif 000004
【図３】
2009100174.tif 000005
【図４】
2009100174.tif 000006
【図５】
2009100174.tif 000007
【図６】
2009100174.tif 000008
【図７】
2009100174.tif 000009
【図８】
2009100174.tif 000010
【図９】
2009100174.tif 000011
【図１０】
2009100174.tif 000012
【図１１】
2009100174.tif 000013
【図１２】
2009100174.tif 000014
【図１３】
2009100174.tif 000015
【図１４】
2009100174.tif 000016
【図１５】
2009100174.tif 000017
【図１６】
2009100174.tif 000018